(57)【要約】【課題】２種類のＩＣカードのうちの一方のＩＣカードが装着されている場合に、他方のＩＣカードの挿入を簡便に阻止する。【解決手段】コネクタ本体の下ハウジング部材１１に階層構造に設けられ第１の収容部１５ａと第２の収容部１５ｂから成るカード収容部１５と、第１の収容部１５ａおよび第２の収容部１５ｂにそれぞれ連通する第１の挿抜口１４ａと第２の挿抜口１４ｂから成るカード挿抜口１４と、下ハウジング部材１１の一方の側壁に沿って取り付けられ、押圧により第１のＩＣカードあるいは第２のＩＣカードをカード収容部１５に挿入してロックし、更にそれ等の再押圧によりカード収容部１５から排出してイジェクトするプッシュイン・プッシュアウト機構と、上記２つのＩＣカードを排他的に挿入するカードコネクタの排他機構２５と、を具備する。【選択図】図２
2009093816.tif 000002
【特許請求の範囲】
【請求項１】
上ハウジング部材と下ハウジング部材により形成されるコネクタハウジング内に階層構造に設けられ、第１の収容部および第２の収容部から成るカード収容部と、
前記第１の収容部に連通する第１の挿抜口および前記第２の収容部に連通する第２の挿抜口から成るカード挿抜部と、を備えるカードコネクタにあって、
前記コネクタハウジング内の前記カード収容部と前記カード挿抜口の間に取り付けられ、
第１のＩＣカードが前記第１の収容部に装着されている状態において第２のＩＣカードが前記第２の収容部に挿入されるのを阻止し、逆に前記第２のＩＣカードが前記第２の収容部に装着されている状態において前記第１のＩＣカードが前記第１の収容部に挿入されるのを阻止するカードコネクタの排他機構。
【請求項２】
前記カード収容部および前記カード挿抜口の間において前記ＩＣカードの挿抜方向と交差するように配置され回動するシャッター部材と、前記シャッター部材を一回動方向に付勢する付勢部材と、を有することを特徴とする請求項１に記載のカードコネクタの排他機構。
【請求項３】
前記シャッター部材は、その両端において、前記下ハウジング部材の側壁に固設された軸受部に回動自在に係合する回動軸と、該回動軸を連結し前記カード挿抜口から見て門型の連結部とを備え、前記第１のＩＣカードが前記門型の前記連結部の成す矩形状の空間を通り抜け、前記第２のＩＣカードが前記シャッター部材の回動に伴い前記連結部の開放された空間を通り抜けるようになっていることを特徴とする請求項２に記載のカードコネクタの排他機構。
【請求項４】
前記付勢部材は、前記回動軸に巻装されたねじりコイルバネを有し、前記ねじりコイルバネの一端が前記下ハウジング部材の側壁に係止され、前記ねじりコイルバネの他端が前記回動軸に係止されて、前記シャッター部材を一回動方向に付勢することを特徴とする請求項３に記載のカードコネクタの排他機構。
【請求項５】
上ハウジング部材と下ハウジング部材により形成されるコネクタハウジング内に階層構造に設けられ、第１の収容部および第２の収容部から成るカード収容部と、
前記第１の収容部に連通する第１の挿抜口および前記第２の収容部に連通する第２の挿抜口から成るカード挿抜部と、
前記下ハウジング部材の一方の側壁に沿って取り付けられ、押圧により第１のＩＣカードあるいは第２のＩＣカードを前記カード収容部に挿入してロックし、更にそれ等の再押圧により前記ＩＣカードを前記カード収容部から排出しイジェクトするプッシュイン・プッシュアウト機構と、
請求項１ないし４のいずれか一項に記載のカードコネクタの排他機構と、
を具備して構成されるカードコネクタ。
【請求項６】
前記第１の収容部に装着される前記第１のＩＣカードの少なくとも１つのコンタクトパッドおよび前記第２の収容部に装着される前記第２のＩＣカードの少なくとも１つのコンタクトパッドが、前記コネクタハウジング内に設けられた互いに共通するコンタクトに加圧接触する構造になっていることを特徴とする請求項５に記載のカードコネクタ。
【請求項７】
前記第１のＩＣカードと前記第２のＩＣカードは横方向の幅は同じで縦方向の長さが異なる請求項６に記載のカードコネクタ。
【発明の詳細な説明】
【技術分野】
【０００１】
本発明は、カードコネクタの排他機構およびそれを備えたカードコネクタに関する。
【背景技術】
【０００２】
近年、パソコン、カメラ、録音機、携帯電話、携帯型オーディオ、ＰＤＡ（Personal Digital Assistance）等の電子機器や情報端末機器等において、情報の記録、伝達あるいは処理に用いられるＩＣチップと呼ばれるＩＣ部品が組込まれたＰＣカード、ＭＭＣ（Multi Media Card）カード（商品名）、ＳＤ（Secure Digital）カード（商品名）、ＳＩＭ（Subscriber Identity Module）カード（商品名）等のＩＣカードの利用が増大してきている。これ等のＩＣカードは上記機器に取り付けられたカードコネクタに装着され、各種の機能拡張が行われている。
【０００３】
そして、カードコネクタにおいては、互いに形状の異なる複数のＩＣカードを一つの電子機器内に装着し利用するために、各ＩＣカードの共通のカード挿抜口を有し、各ＩＣカードが１枚ずつ選択的に着脱されるいわゆるカード用複合コネクタが開示されている（例えば、特許文献１，２，３参照）。
【０００４】
ここで、特許文献１，３のカード用複合コネクタでは、１つのカード収容部が、共通のカード挿抜口に連通し例えば２種類のＩＣカードを共通に収容できるようにコネクタハウジング内に設けられている。あるいは、特許文献２のカード用複合コネクタにおいては、例えば３種類のＩＣカードを収容できるように、２つのカード収容部が、上記共通のカード挿抜口に連通し、一部を互いに重複させＩＣカードの着脱方向に沿ってコネクタハウジング内に階層的に形成されている。
【０００５】
そして、上記カード収容部には、各ＩＣカードの裏面あるいは表面に形成されたコンタクトパッドに対応し、上記機器の回路基板の配線に接続するコンタクト群が、上記コネクタハウジング内においてそれぞれ別個あるいは共通に設けられている。なお、各コンタクトは、各ＩＣカードのコンタクトパッドに接続するように形成された接点部と上記プリント基板の配線に接合される端子部とを備えている。
【０００６】
上述したような複合コネクタの構造においては、所定のＩＣカードの正規のカード収容部とは異なる他のカード収容部への使用者による誤った挿入操作の回避、あるいは、挿入操作のとき、そのＩＣカードによって利用されないコンタクト群の損傷を回避しつつ、ＩＣカードの円滑な着脱を可能とすることが必要とされる。この対策として、例えば、特許文献１，２では、それぞれの形状の異なるＩＣカードの側面部を支持し挿脱移動を案内する案内溝あるいは側壁が、上記カード挿抜口あるいはカード収容部の横方向の両端に設けられている。ここで、特許文献２では、上記挿脱移動に案内する側壁は、それぞれのＩＣカードのカード収容部を画成するようになっている。
【０００７】
また、特許文献３においては、例えば横方向の寸法が異なる２種類のＩＣカードのうちの所定のＩＣカードの誤ったカード収容部への挿入操作を規制する切換え機構が、共通のカード挿抜口近傍の内部に備えられている。この切換え機構は、横幅の広い方のＩＣカード用のカード収容部に対して、横幅の狭い方のＩＣカードの誤った挿入操作を規制する誤挿入規制部材と、横幅の狭い方のＩＣカードの挿入を規制する第１の状態（ロック状態）と、横幅の広い方のＩＣカードの挿入を可能とする第２の状態（アンロック状態）とを誤挿入規制部材にとらせるロック／アンロック機構と、誤挿入規制部材をカード挿入方向とは反対方向に付勢する付勢部材とを含んで構成されている。
【特許文献１】特許第３３８５２４９号公報
【特許文献２】特許第３３９６４５７号公報
【特許文献３】特許第３８０３０９８号公報
【発明の開示】
【発明が解決しようとする課題】
【０００８】
ところで、上記複合コネクタとしてはその他にも種々の構造のものが考えられる。例えば横方向の寸法が同じ２種類の異なるＩＣカードが、コネクタハウジング内で階層構造に形成された異なるカード収容部に対して、それぞれに２つの異なるカード挿抜口から着脱できるようになっている複合コネクタがある。
【０００９】
ここで、コネクタハウジング内に取り付けられたコンタクト群が、上記２種類のＩＣカードの間で異なり別個になる場合には、これ等の２つのＩＣカードはカードコネクタに同時に装着されても全く問題が生じない。しかし、コンタクト群が、上記２種類のＩＣカードの間で共通する場合には、これ等の２つのＩＣカードがカードコネクタに同時に装着されないようにするために、一方のＩＣカードが装填されていると他方のＩＣカード挿入を阻止するカード挿入の排他機構が必須になってくる。
【００１０】
しかしながら、上述した特許文献を含めてこれまでに開示されているカード用複合コネクタには、２種類のＩＣカードの他方のＩＣカードの挿入を簡便に阻止する排他機構に関するものは見出せない。また、このような排他機構を有するカードコネクタも見出せない。
【００１１】
本発明は、上述の事情に鑑みてなされたものであり、カード用複合コネクタにおいて、２種類のＩＣカードのうちの一方のＩＣカードが装着されている場合に、他方のＩＣカードの挿入を簡便に阻止する排他機構、および、それを備えたカードコネクタを提供することを目的とする。
【課題を解決するための手段】
【００１２】
上記目的を達成するために、本発明にかかるカードコネクタの排他機構は、上ハウジング部材と下ハウジング部材により形成されるコネクタハウジング内に階層構造に設けられ、第１の収容部および第２の収容部から成るカード収容部と、前記第１の収容部に連通する第１の挿抜口および前記第２の収容部に連通する第２の挿抜口から成るカード挿抜部と、を備えるカードコネクタにあって、前記コネクタハウジング内の前記カード収容部と前記カード挿抜口の間に取り付けられ、第１のＩＣカードが前記第１の収容部に装着されている状態において第２のＩＣカードが前記第２の収容部に挿入されるのを阻止し、逆に前記第２のＩＣカードが前記第２の収容部に装着されている状態において前記第１のＩＣカードが前記第１の収容部に挿入されるのを阻止する、という構成になっている。
【００１３】
そして、本発明にかかるカードコネクタは、上ハウジング部材と下ハウジング部材により形成されるコネクタハウジング内に階層構造に設けられ、第１の収容部および第２の収容部から成るカード収容部と、前記第１の収容部に連通する第１の挿抜口および前記第２の収容部に連通する第２の挿抜口から成るカード挿抜部と、前記下ハウジング部材の一方の側壁に沿って取り付けられ、押圧により第１のＩＣカードあるいは第２のＩＣカードを前記カード収容部に挿入してロックし、更にそれ等の再押圧により前記ＩＣカードを前記カード収容部から排出しイジェクトするプッシュイン・プッシュアウト機構と、上述したカードコネクタの排他機構と、を備えて構成される。
【発明の効果】
【００１４】
本発明により、カード用複合コネクタにおいて、２種類のＩＣカードのうちの一方のＩＣカードが装着されている場合に、他方のＩＣカードの挿入を簡便に阻止する排他機構、および、それを備えたカードコネクタを提供することができる。
【発明を実施するための最良の形態】
【００１５】
以下に本発明の好適な実施形態について図面を参照して説明する。図１ないし図４は本実施形態のカードコネクタの一例を示す図であって、図１はカードコネクタの全体を示した外観斜視図であり、図２は図１に示すカードコネクタのカバー部材である上ハウジング部材を取り外して示した斜視図である。そして、図３は図２に示したカードコネクタの平面図であり、階層構造のコネクタハウジング内の上層図である。図４は図２に示したカードコネクタの平面図であって、上記コネクタハウジング内の下層図である。
【００１６】
また、図５および図６はカードコネクタに挿抜される２種類のＩＣカードの一例を示した平面図である。ここで、図５は縦方向（カード挿入抜去方向）に短い小さな第１のカードであり、図６は縦方向に長い大きな第２のカードである。なお、これ等のカードの横方向の幅は同じになっている。上記図面においては、その要部に符号が付され、互いに同一または類似の部分には共通の符号を付して、重複説明は一部省略される。
【００１７】
図１ないし図４に示されるように、本実施形態のカードコネクタ１０では、コネクタ本体の下ハウジング部材１１と、この下ハウジング部材１１と組合されるカバー部材としての上ハウジング部材１２とによりコネクタハウジング１３が構成されている。ここで、下ハウジング部材１１は加工性に優れた絶縁性の合成樹脂材料の成形により作られ、上ハウジング部材１２は例えばステンレス等の金属板材料の打ち抜き曲げ加工品により形成される。
【００１８】
そして、コネクタハウジング１３の後端部にカード挿抜口１４が設けられ、このカード挿抜口１４は、例えば図５に示した第１のカード１００が挿抜される第１の挿抜口１４ａと、例えば図６に示した第２のカード２００が挿抜される第２の挿抜口１４ｂから成る。また、コネクタハウジング１３内には、中空で扁平なカード収容部１５が形成されている。このカード収容部１５は、上記第１のカード１００が装着される第１の収容部１５ａと第２のカード２００が装着される第２の収容部１５ｂの階層構造になっている。ここで、第１の収容部１５ａおよび第２の収容部１５ｂは、それぞれ第１の挿抜口１４ａおよび第２の挿抜口１４ｂにコネクタハウジング１３内で連通し、仕切板１６により分離して画成されている。
【００１９】
更に、下ハウジング部材１１には、上記２種類のＩＣカードのコンタクトパッドと加圧接触するための多数のコンタクト１７が植設されている。これ等のコンタクト１７は、それぞれにカード挿抜方向に伸びた弾性接片から成る第１の接点部１７ａと第２の接点部１７ｂを有し、その端子部１７ｃが例えば下ハウジング部材１１の前壁から外部に延出するように形成されている。
【００２０】
ここで、第１の接点部１７ａは、その弾性変位により、第１のカード１００のカード本体１０１の例えば裏面に形成されたコンタクトパッド１０２に加圧接触する。そして、第２の接点部１７ｂは、隣接するコンタクト１７間に形成されその上端がほぼ仕切板１６の高さにある隔壁１８の上方から突出して、その弾性変位により、第２のカード２００のカード本体２０１の例えば裏面に形成されたコンタクトパッド２０２に加圧接触するようになっている。
【００２１】
また、図２ないし図４に示されるように、２種類のＩＣカードをそれぞれのカード収容部に挿入およびそのカード収容部から排出をさせるプッシュイン・プッシュアウト機構１９が下ハウジング部材１１の一側壁側に設けられている。このＩＣカードをプッシュイン・プッシュアウトするプッシュイン・プッシュアウト機構１９は、下ハウジング部材１１の側縁辺に沿いカード挿抜方向に進退動可に配置されたスライダーとしてのカードプッシュ部材２０、該カードプッシュ部材２０を弾性付勢するバネ部材２１等を備えている。
【００２２】
ここで、カードプッシュ部材２０は、その後端領域に設けられた第１の加圧斜面２０ａおよびその前端領域に設けられた第２の加圧斜面２０ｂを有している。そして、第１のカード１００の挿入すなわちプッシュインにおいて、第１のカード１００の前端のコーナー部に設けられたカード挿入姿勢指示用斜面である受圧斜面１０１ａが第１の加圧斜面２０ａを押圧する。同様に、第２のカード２００の挿入において、第２のカード２００の前端のコーナー部に設けられた受圧斜面２０１ａが第２の加圧斜面２０ｂを押圧する。なお、カードプッシュ部材２０は例えば加工性に優れた液晶ポリマーのような合成樹脂から成る。
【００２３】
更に、プッシュイン・プッシュアウト機構１９は、カードプッシュ部材２０の後端領域に形成したカム要素２２、該カム要素２２に係合する揺動アーム２３を有している。ここで、揺動アーム２３はステンレス製であり、その基端が下ハウジング部材１１の所定箇所に形成された孔に回動可に支承され、その自由端がカム要素２２のハート形カム等の周囲に形成されたカム溝に滑合されている。そして、カードプッシュ部材２０は、バネ部材２１とカム要素２２により適正にカード挿抜方向に直線往復動できるようになっている。
【００２４】
次に、上記２種類のＩＣカードのカードコネクタ１０へのプッシュイン・プッシュアウトについて、図７ないし図１０を参照して説明する。ここで、図７はカードコネクタ１０に第１のカード１００を装着した状態の一例を示し、（ａ）はそのカードコネクタの平面図、（ｂ）は（ａ）におけるＡ−Ａ矢視の断面図である。図８はカードコネクタ１０に第１のカード１００を装着した状態におけるカード挿抜口１４からの正面図である。そして、図９はカードコネクタ１０に第２のカード２００を装着した状態の一例を示し、（ａ）はそのカードコネクタの平面図、（ｂ）は（ａ）におけるＢ−Ｂ矢視の断面図である。図１０はカードコネクタ１０に第２のカード２００を装着した状態におけるカード挿抜口１４からの正面図である。
【００２５】
２種類のＩＣカードのカードコネクタ１０へのプッシュインでは、第１のカード１００は、その後端部の押圧により、コイルスプリングのような圧縮バネを有するバネ部材２１の弾発に抗して第１の挿抜口１４ａから挿入される。この挿入においては、第１のカード１００の前端のコーナー部に設けられた受圧斜面１０１ａがカードプッシュ部材２０の第１の加圧斜面２０ａを押圧する。そして、カードプッシュ部材２０は、その前端面が下ハウジング部材１１の前壁に達するまでカム要素２２に案内されて移動し、その後、カム要素２２により所定位置において錠止される。
【００２６】
このようにして、図７および図８に示すように、第１のカード１００は第１の収容部１５ａに装着され、そのコンタクトパッド１０２がコンタクト１７の第１の接点部１７ａに加圧接触し接続される。また、第１のカード１００の有無およびそのライトプロテクトボタンの位置を検出する第１の検出スイッチ２４ａがオン状態にされる。
【００２７】
同様に、第２のカード２００は、その後端部の押圧により、バネ部材２１の弾発に抗して第２の挿抜口１４ｂから挿入される。この挿入において、第２のカード２００の前端のコーナー部に設けられた受圧斜面２０１ａがカードプッシュ部材２０の第２の加圧斜面２０ｂを押圧する。そして、カードプッシュ部材２０は、その前端面が下ハウジング部材１１の前壁に達するまでカム要素２２に案内されて移動し、その後、カム要素２２により所定位置において錠止される。このようにして、第２のカード２００は第２の収容部１５ｂに装着され、そのコンタクトパッド２０２が第２の接点部１７ｂに加圧接触し接続される。
【００２８】
このようにして、図９および図１０に示すように、第２のカード２００は第２の収容部１５ｂに装着され、そのコンタクトパッド２０２がコンタクト１７の第２の接点部１７ｂに加圧接触し接続される。また、第２のカード２００の有無およびそのライトプロテクトボタンの位置を検出する第２の検出スイッチ２４ｂがオン状態にされる。
【００２９】
そして、これ等のカードのカードコネクタ１０からの排出すなわちプッシュアウトでは、第１のカード１００あるいは第２のカード２００のカード後端の再押圧により、カードプッシュ部材２０の錠止が解除される。そして、以後は、カードプッシュ部材２０がバネ部材２１にてカードの排出方向に弾発され移動し、カードプッシュ部材２０の後端面が下ハウジング部材１１に設けられたストッパーに達するまで排出方向に直線移動する。第１のカード１００あるいは第２のカード２００は、それぞれの受圧斜面１０１ａあるいは２０１ａがカードプッシュ部材２０の第１の加圧斜面２０ａあるいは第２の加圧斜面２０ｂに係合していることから、上記カードプッシュ部材２０の一連の動きによりカードコネクタ１０から排出される。
【００３０】
更に、上記カードコネクタ１０には、第１のカード１００（あるいは第２のカード２００）が第１の収容部１５ａ（あるいは第２の収容部１５ｂ）に装填されている状態で、第２のカード２００（あるいは第１のカード１００）が第２の収容部１５ｂ（あるいは第１の収容部１５ａ）に挿入されるのを阻止するためのカード挿入排他機構２５が設けられている。このカード挿入排他機構２５は、図２ないし図４に示したように、第１の挿抜口１４ａおよび第２の挿抜口１４ｂから成るカード挿抜口１４と第１の収容部１５ａおよび第２の収容部１５ｂから成るカード収容部１５との間に位置し、カード挿抜方向に直交して下ハウジング部材１１の左右の側壁の間に延在するシャッター部材２６を有している。
【００３１】
以下、図２、図３、図４および図１１を参照して上記カード挿入排他機構２５について説明する。ここで、図１１（ａ）はカード挿入排他機構２５を構成するシャッター部材２６の斜視図であり、図１１（ｂ）はカード挿抜口１４から見たシャッター部材２６の正面図である。カード挿入排他機構２５は、シャッター部材２６、このシャッター部材２６を一方向に付勢するねじりコイルバネ２７を含んで構成される。
【００３２】
シャッター部材２６は、カード挿抜口１４から見てその下方が開放した略門型の形状を成しており、この門型の成す矩形状の空間を第１のカード１００が通り抜けられるように構成されている。そして、図１１（ａ）および図１１（ｂ）に拡大されて示されるように、その両端に回動軸として例えば円柱状の軸部２６ＳＬ、２６ＳＲを有すると共に、軸部２６ＳＬと軸部２６ＳＲとを連結する上記門型の連結部２６Ｔを中央部に有している。また、連結部２６Ｔの上端には２つの突起部２６ＵＬ、２６ＵＲが突成されている。
【００３３】
ここで、シャッター部材２６は例えばアルミ合金等の軽金属材料を一体成形したものである。そして、連結部２６Ｔの形状は、細長の長手方向にその前端面（カード収容部１５側の面）とその後端面（カード挿抜口１４側の面）が平行に形成された断面矩形を成している。あるいは、この断面矩形状の他に、例えば、その後端面が下方に向かって前端面に傾斜する傾斜面を有し、断面三角形状を成していても構わない。
【００３４】
上記軸部２６ＳＬ、２６ＳＲは、それぞれ、下ハウジング部材１１の左右の側壁に固設された軸受部に回動自在に係合し支持されている。そして、軸部２６ＳＬ、２６ＳＲの外周部には、それぞれ、ねじりコイルバネ２７（図３および図４参照）が巻装されている。ねじりコイルバネ２７の一端は軸部２６ＳＬ、２６ＳＲの端部に係止され、ねじりコイルバネ２７の他端は下ハウジング部材１１の側壁に係止されている。これにより、シャッター部材２６は、軸部２６ＳＬ、２６ＳＲが回動する上記軸受部を中心として、第１のカード１００の挿入方向すなわち第２のカード２００の排出方向となる時計回りの一方向に付勢されることになる。
【００３５】
ここで、シャッター部材２６が時計回りの方向に付勢され元の位置にある状態で、上述したように、シャッター部材２６の門型の成す矩形状の空間を第１のカード１００が通り抜け、第１の収容部１５ａ内に挿入できるようになっている。逆に、シャッター部材２６がねじりコイルバネ２７の付勢に抗して反時計回りの方向に転動し横倒しになった状態で、シャッター部材２６の横倒しになった連結部２６Ｔの上方に形成される空間を第２のカード２００が通り抜け、第２の収容部１５ｂ内に挿入できるようになっている。
【００３６】
次に、カード挿入排他機構２５の動作機構について図１２ないし図１５を参照して説明する。ここで、図１２はカードコネクタ１０に第１のカード１００を装着した状態における上ハウジング部材１２を取り外したところの平面図である。図１３（ａ）はカードコネクタ１０に第１のカード１００を装着した状態で第２のカード２００を挿入するところの平面図であり、図１３（ｂ）は図１３（ａ）のＣ−Ｃ矢視の断面図である。そして、図１４はカードコネクタ１０に第２のカード２００を装着した状態における上ハウジング部材１２を取り外したところの平面図である。図１５（ａ）はカードコネクタ１０に第２のカード２００を装着した状態で第１のカード１００を挿入するところの平面図であり、図１５（ｂ）は図１５（ａ）のＤ−Ｄ矢視の断面図である。
【００３７】
図１２に示したような第１のカード１００の装着では、カード挿入排他機構２５はそのシャッター部材２６が時計回りの方向に付勢された元の位置にある状態になっている。このような状態において、第１のカード１００は、第１の挿抜口１４ａからシャッター部材２６の門型の成す矩形状の空間を通り、仕切板１６下にある第１の収容部１５ａへと挿入される。
【００３８】
この第１のカード１００の挿入では、上述したようなプッシュイン・プッシュアウト機構１９が用いられる。すなわち、第１のカード１００の前端部の第１の挿抜口１４ａへの当接とその後端部の押圧により、第１のカード１００は上述したバネ部材２１の弾発に抗して第１の収容部１５ａへと挿入される。この挿入において、第１のカード１００の受圧斜面１０１ａがカードプッシュ部材２０の第１の加圧斜面２０ａを押圧し、カードプッシュ部材２０は、上述したようにカム要素２２に案内されて移動すると共にその所定位置において錠止される。
【００３９】
このようにして、第１のカード１００は第１の収容部１５ａに装着され、第１のカード１００のコンタクトパッド１０２が上述したようにコンタクト１７の第１の接点部１７ａと加圧接触する。
【００４０】
図１３に示すように、カードコネクタ１０に第１のカード１００を装着した状態で第２のカード２００を挿入しようとすると、第２のカード２００の前端部がカード挿入排他機構２５におけるシャッター部材２６の連結部２６Ｔに当たり、その挿入が阻止される。ここで、連結部２６Ｔの上端に連成する２つの突起部２６ＵＬ、２６ＵＲが上記挿入の阻止を保証する。
【００４１】
他方、図１４に示したような第２のカード２００の装着では、第２の挿抜口１４ｂから挿入した第２のカード２００の前端部がシャッター部材２６における連結部２６Ｔの上端たとえば２つの突起部２６ＵＬ、２６ＵＲに当たり、更に第２のカード２００の後端部の押圧によりシャッター部材２６がねじりコイルバネ２７の付勢に抗して反時計回りの方向に回動して横倒しになる。このようにして、シャッター部材２６の横倒しになった連結部２６Ｔの上方に開放される空間を第２のカード２００が通り抜け、第２の収容部１５ｂへと挿入される。
【００４２】
この第２のカード２００の挿入においても、上述したプッシュイン・プッシュアウト機構１９が用いられる。すなわち、第２のカード２００の後端部の押圧により、第２のカード２００は上述したのと同様にバネ部材２１の弾発に抗して第２の収容部１５ｂへと挿入される。この挿入において、第２のカード２００の受圧斜面２０１ａがカードプッシュ部材２０の第２の加圧斜面２０ｂを押圧し、カードプッシュ部材２０は、上述したようにカム要素２２に案内されて移動すると共にその所定位置において錠止される。
【００４３】
このようにして、第２のカード２００は第２の収容部１５ｂに装着され、第２のカード２００のコンタクトパッド２０２が上述したようにコンタクト１７の第２の接点部１７ｂと加圧接触する。
【００４４】
図１５に示すように、カードコネクタ１０に第２のカード２００を装着した状態で第１のカード１００を挿入しようとすると、第１のカード１００の前端部がカード挿入排他機構２５において転動して横倒しになっているシャッター部材２６の連結部２６Ｔの下端に当たり、その挿入が阻止される。
【００４５】
以上のようにして、カード挿入排他機構２５は、２種類のＩＣカードが装着されるカード用複合コネクタにおいて、２種類のＩＣカードのうちの一方のＩＣカードが装着されている場合に、他方のＩＣカードの挿入を簡便に阻止するようになる。
【００４６】
本実施形態では、カード用複合コネクタにおいて、そのコネクタハウジング内で階層構造に形成された異なるカード収容部に対し、２つの異なるカード挿抜口からの２種類の異なるＩＣカードの互いに排他的な挿入が可能になる。そして、このようなカード用複合コネクタへの２種類の異なるＩＣカードのうちの一方のみの装着が簡便にできるようになる。しかも、このＩＣカードの排他的な挿入を可能にする本実施形態のカードコネクタ排他機構は極めて簡素な構造であり耐久性に優れる。
【００４７】
そして、２種類の異なるＩＣカードに対応して、コネクタハウジング内で階層構造に形成された２つのカード収容部、および２つの異なるカード挿抜口を有するカードコネクタは、上記カードコネクタ排他機構を備えることにより実用に供される。また、このカードコネクタは、コネクタハウジング内に取り付けられたコンタクト群において、上記２種類のＩＣカードの間で共通するものがある場合でも、電子機器や情報端末機器等に広汎に使用でき、これ等の機器において各種の機能拡張ができるようになる。
【００４８】
以上、本発明の好適な実施形態について説明したが、上述した実施形態は本発明を限定するものでない。当業者にあっては、具体的な実施態様において本発明の技術思想および技術範囲から逸脱せずに種々の変形・変更を加えることが可能である。
【００４９】
例えば、第１の接点部１７ａと第２の接点部１７ｂが共通のコンタクト１７に連成されない場合であっても、本実施形態のカード挿入排他機構をカード用複合コネクタに取り付けることができる。
【００５０】
また、上記２種類のＩＣカードは、その挿抜方向である縦方向の長さが異なり、その横方向の幅が同一の場合において、カード用複合コネクタを説明しているが、それ等の横方向の幅が異なる場合において、本実施形態のカード挿入排他機構をカード用複合コネクタに取り付けても構わない。
【００５１】
また、カード挿入排他機構は、そのシャッター部材が上下に逆さに取り付けられた構成になっていてもよい。このような構成では、シャッター部材が反時計回りの方向に付勢され元の位置にある状態で、シャッター部材の門型の成す矩形状の空間を第２のカードが通り抜け、第２の収容部内に挿入できるようになる。そして、第１のカードは、シャッター部材をねじりコイルバネの付勢に抗して時計回りの方向に転動させ、その連結部を横倒に押し上げて第１の収容部内に挿入するようになる。
【図面の簡単な説明】
【００５２】
【図１】本発明の実施形態にかかるカードコネクタを示す全体の斜視図である。
【図２】図１のカードコネクタのカバー部材である上ハウジング部材を取り外して示した斜視図である。
【図３】図２に示したカードコネクタの平面図である。
【図４】図３のカードコネクタの仕切板を取り外して示したカードコネクタの平面図である。
【図５】２種類のＩＣカードのうちの小さなカードの一例を示した平面図である。
【図６】２種類のＩＣカードのうちの大きなカードの一例を示した平面図である。
【図７】本発明の実施形態にかかるカードコネクタに小さなカードを装着した状態の一例を示し、（ａ）はそのカードコネクタの平面図、（ｂ）は（ａ）におけるＡ−Ａ矢視の断面図である。
【図８】本発明の実施形態にかかるカードコネクタに小さなカードを装着した状態におけるカード挿抜口からの正面図である。
【図９】本発明の実施形態にかかるカードコネクタに大きなカードを装着した状態の一例を示し、（ａ）はそのカードコネクタの平面図、（ｂ）は（ａ）におけるＢ−Ｂ矢視の断面図である。
【図１０】本発明の実施形態にかかるカードコネクタに大きなカードを装着した状態におけるカード挿抜口からの正面図である。
【図１１】本発明の実施形態にかかるカード挿入排他機構の一例を示し、（ａ）はそのシャッター部材の斜視図であり、（ｂ）はカード挿抜口から見たシャッター部材の正面図である。
【図１２】本発明の実施形態にかかるカードコネクタに小さなカードを装着した状態における上ハウジング部材を取り外したところの平面図である。
【図１３】本発明の実施形態にかかるカード挿入排他機構の動作機構を示し、（ａ）はカードコネクタに小さなカードを装着した状態で大きなカードの挿入を阻止するところの平面図であり、（ｂ）は（ａ）のＣ−Ｃ矢視の断面図である。
【図１４】本発明の実施形態にかかるカードコネクタに大きなカードを装着した状態における上ハウジング部材を取り外したところの平面図である。
【図１５】本発明の実施形態にかかるカード挿入排他機構の動作機構を示し、（ａ）はカードコネクタに大きなカードを装着した状態で小さなカードの挿入を阻止するところの平面図であり、（ｂ）は（ａ）のＤ−Ｄ矢視の断面図である。
【符号の説明】
【００５３】
１０…カードコネクタ、１１…下ハウジング部材、１２…上ハウジング部材、１３…コネクタハウジング、１４…カード挿抜口、１４ａ…第１の挿抜口、１４ｂ…第２の挿抜口、１５…カード収容部、１５ａ…第１の収容部、１５ｂ…第２の収容部、１６…仕切板、１７…コンタクト、１７ａ…第１の接点部、１７ｂ…第２の接点部、１７ｃ…端子部、１８…隔壁、１９…プッシュイン・プッシュアウト機構、２０…カードプッシュ部材、２０ａ…第１の加圧斜面、２０ｂ…第２の加圧斜面、２１…バネ部材、２２…カム要素、２３…揺動アーム、２４ａ…第１の検出スイッチ、２４ｂ…第２の検出スイッチ、２５…カード挿入排他機構、２６…シャッター部材、２６ＳＬ，２６ＳＲ…軸部、２６Ｔ…連結部、２６ＵＬ，２６ＵＲ…突起部、２７…ねじりコイルバネ、１００…第１のカード、１０１，２０１…カード本体、１０１ａ，２０１ａ…受圧斜面、１０２，２０２…コンタクトパッド、２００…第２のカード
【図１】
2009093816.tif 000003
【図２】
2009093816.tif 000004
【図３】
2009093816.tif 000005
【図４】
2009093816.tif 000006
【図５】
2009093816.tif 000007
【図６】
2009093816.tif 000008
【図７】
2009093816.tif 000009
【図８】
2009093816.tif 000010
【図９】
2009093816.tif 000011
【図１０】
2009093816.tif 000012
【図１１】
2009093816.tif 000013
【図１２】
2009093816.tif 000014
【図１３】
2009093816.tif 000015
【図１４】
2009093816.tif 000016
【図１５】
2009093816.tif 000017